(57)【要約】      （修正有）【課題】材料及び加工のコストが低く、構造がシンプルで組立ても簡単であり、さらに台紙と支持帯とが滑りにくく、台紙が安定して立つ写真立てを提供する。【解決手段】写真立て用シート１は、紙製又は樹脂製のシートよりなり、該シートを、写真を展示時にあてがうための台紙２と、台紙２を立てるための支持帯６とに千切り離すためのミシン目３が、台紙２と支持帯６との間に設けられている。台紙２に、写真を収納時に挟めるように台紙２を２つ折りするための折り目４が設けられている。支持帯６に、千切り離した台紙２を差込むための少なくとも２つの切り込み又は該切り込みを作るためのミシン目７が設けられている。【選択図】図１
0003207800.tif 000002
【実用新案登録請求の範囲】
【請求項１】
紙製又は樹脂製のシートよりなり、
該シートを、写真（１０）を展示時にあてがうための台紙（２）と、台紙（２）を立てるための支持帯（６）とに千切り離すためのミシン目（３）が、台紙（２）と支持帯（６）との間に設けられ、
支持帯（６）に、千切り離した台紙（２）を差込むための少なくとも２つの切り込み（８）又は該切り込み（８）を作るためのミシン目（７）が設けられたことを特徴とする写真立て用シート。
【請求項２】
台紙（２）に、写真（１０）を収納時に挟めるように台紙（２）を２つ折りするための折り目（４）が設けられている請求項１記載の写真立て用シート。
【請求項３】
下縁にミシン目の千切り跡（３ａ）がある、写真（１０）を展示時にあてがうための台紙（２）と、
少なくとも２つの切り込み（８）が設けられた、台紙を立てるための支持帯（６）とを含み、
支持帯（６）は湾曲され、
台紙（２）は、前記下縁が前記支持帯（６）の切り込み（８）に差込まれることにより、立てられていることを特徴とする写真立て。
【請求項４】
台紙（２）に、写真（１０）を収納時に挟めるように台紙（２）を２つ折りするための折り目（４）が設けられている請求項３記載の写真立て。
【考案の詳細な説明】
【技術分野】
【０００１】
本考案は、写真立て及び写真立て用シートに関するものである。
【背景技術】
【０００２】
自動車、建物、貴金属等の商品を購入した顧客に、商品と顧客を撮影した写真をプレゼントするというサービスがある。その際、写真だけではやや物足りなさを感じることもあるため、写真立てを添えることによって顧客の満足度を高めることが考えられる。
【０００３】
しかし、通常の写真立ては、枠状に組まれた木製の額縁を備えたものがほとんどであり、コストがかかりすぎる。
そこで、簡易な写真立ての採用が好ましく、次のようなものが考えられている。
特許文献１には、写真を留める金属薄板と、帯状弾性薄板とよりなり、金属薄板の線状切り込みと帯状弾性薄板の切り目とを係合させて金属薄板を立てるものが開示されている。
特許文献２には、厚紙等よりなり、上端で山状に繋がる後壁と前壁を下部の梁部で連結するものが開示されている。
【先行技術文献】
【特許文献】
【０００４】
【特許文献１】実公平４−３４７６１号公報
【特許文献２】実公昭４５−２８３９６号公報
【考案の概要】
【考案が解決しようとする課題】
【０００５】
特許文献１の写真立ては、金属材料と加工にコストがかかるため、上記木製に対してさほどコストを下げることができない。
特許文献２の写真立ては、厚紙製であり、材料のコストは下げられるが、構造が複雑で、組立ても面倒である。
【０００６】
そこで、本考案の目的は、材料及び加工のコストが低く、構造がシンプルで組立ても簡単であり、さらに台紙と支持帯とが滑りにくく、台紙が安定して立つ写真立てを提供することにある。
【課題を解決するための手段】
【０００７】
（１）本考案の写真立て用シートは、
紙製又は樹脂製のシートよりなり、
該シートを、写真を展示時にあてがうための台紙と、台紙を立てるための支持帯とに千切り離すためのミシン目が、台紙と支持帯との間に設けられ、
支持帯に、千切り離した台紙を差込むための少なくとも２つの切り込み又は該切り込みを作るためのミシン目が設けられたことを特徴とする。
【０００８】
（２）本考案の写真立ては、
下縁にミシン目の千切り跡がある、写真を展示時にあてがうための台紙と、
少なくとも２つの切り込みが設けられた、台紙を立てるための支持帯とを含み、
支持帯は湾曲され、
台紙は、前記下縁が前記支持帯の切り込みに差込まれることにより、立てられていることを特徴とする。
【考案の効果】
【０００９】
本考案の写真立て及び写真立て用シートによれば、材料及び加工のコストが低く、構造がシンプルで組立ても簡単であり、さらに台紙と支持帯とが滑りにくく、台紙が安定して立つという優れた効果を奏する。
【図面の簡単な説明】
【００１０】
【図１】実施例１の写真立て用シートの（ａ）は正面図、（ｂ）は背面図である。
【図２】同写真立て用シートを台紙と支持帯に千切り離して台紙を２つ折りしたときの（ａ）は正面図、（ｂ）は背面図である。
【図３】同写真立て用シートから組み立てた写真立ての（ａ）は分解斜視図、（ｂ）は斜視図である。
【図４】同写真立て用シートに写真を挟む場合の（ａ）は台紙を２つ折りする前の背面図、（ｂ）は台紙を２つ折りしさらに支持帯を折り重ねたときの背面図である。
【図５】実施例２の（ａ）は写真立て用シートの正面図、（ｂ）は同写真立て用シートから組み立てた写真立ての斜視図である。
【考案を実施するための形態】
【００１１】
１．シート
シートの厚さは、特に限定されないが、紙製のものは厚さ０．１５〜１ｍｍが好ましく、樹脂製のものは厚さ０．１〜０．８ｍｍが好ましい。薄すぎると強度が低くなり、厚すぎると加工性や組立性が低下する。
【００１２】
２．ミシン目
ミシン目は、線状に並ぶように交互に形成された切り目と残り目（切れずに残る目）の集まりである。ミシン目を千切ると、台紙の下縁に凹凸状（切り目が凹で、残り目が凸）の千切り跡ができる。台紙の下縁が支持帯の切り込みに差し込まれたときに、この凹凸状の千切り跡が切り込みに引っ掛かるため、台紙と支持帯とが滑りにくくなり、台紙が安定して立つ。
１つの切り目の長さは、特に限定されないが、シートの厚さの１〜５倍が好ましい。切り目が短すぎると上記引っ掛かりが弱くなり、切り目が長すぎると上記台紙と支持帯とがやや滑るようになる。
１つの残り目の長さは、特に限定されないが、０．１〜０．６ｍｍが好ましい。残り目が短すぎるとミシン目が不意に切れやすくなり、残り目が長すぎるとミシン目を千切りにくくなる。
【００１３】
３．台紙
台紙は、写真を展示時にあてがうものであり、一重でもよいが、写真を収納時には挟めるように２つ折りできるものが好ましく、そのための折り目が設けられているものがより好ましい。台紙の寸法は、写真の大きさに応じて適宜決定することができる。
【００１４】
４．支持帯
支持帯の横寸法は、台紙の横寸法と同一であることが好ましい。長方形のシートで写真立て用シートを形成できるからである。
支持帯の縦寸法は、特に限定されないが、１０〜３０ｍｍが好ましい。
切り込み（又は該切り込みを作るためのミシン目）は、支持帯の一方の長辺から他方の長辺に向かって他方の長辺に達しない途中部まで形成されていることが好ましい。
切り込み（又は該切り込みを作るためのミシン目）の長さは、特に限定されないが、７〜２０ｍｍが好ましい。
２つの切り込み（又は該切り込みを作るためのミシン目）の相互間隔は、６０〜１５０ｍｍが好ましい。
【００１５】
以下、本考案を具体化した実施例について説明する。なお、実施例で記す材料、構成、数値、印刷等は例示であって、適宜変更できる。
【実施例１】
【００１６】
図１〜図４は実施例１を示している。
図１に示すように、写真立て用シート１は、紙製又は樹脂製の長方形のシートよりなり、該シートを、写真１０を展示時にあてがうための台紙２と、台紙２を立てるための支持帯６とに千切り離すためのミシン目３が、同図で上側の台紙２と下側の支持帯６との間に横方向に設けられている。
【００１７】
台紙２には、写真１０を収納時に挟めるよう台紙２を下部２ａと上部２ｂとに２つ折りするための折り目４（押し罫）が横方向に設けられている。下部２ａの縦寸法よりも上部２ｂの縦寸法の方が短いため、図２に示すように、２つ折りしたときに、下部２ａの下縁は（上部２ｂが重ならず）露出する。
【００１８】
支持帯６の横寸法は台紙２の横寸法と同一である。支持帯６には、千切り離した台紙２を差込むための２つの切り込み８を作るためのミシン目７が相互間隔をおいて設けられている。ミシン目７は、図１の例では支持帯６の下長辺から上長辺に向かって上長辺に達しない途中部まで形成されているが、上長辺から下長辺に向かって下長辺に達しない途中部まで形成されていてもよい。
【００１９】
写真立て用シート１には任意の文字、図形、模様等が印刷が施されている。図示例では、下部２ａの正面には図柄や販売者のメッセージが印刷され、上部２ｂの正面には例えば写真１０をあてがう面であることを示す文字が印刷され、上部２ｂの背面の２つの角部には斜めの谷折り線５が印刷されている。また、支持帯６には販売者の名称が印刷されている。
【００２０】
この写真立て用シート１から写真立てを組み立てて、写真１０を展示するには、次のようにする。
（１）図２に示すように、ミシン目３を手で千切って台紙２と支持帯６とに千切り離し、台紙２を折り目４で曲げて下部２ａと上部２ｂとに２つ折りする。下部２ａの下縁には凹凸状の千切り跡３ａができ、この下部２ａの下縁は上部２ｂが重ならずに露出する。また、支持帯６のミシン目７を手で破って切り込み８を作る。
【００２１】
（２）続いて、図３に示すように、支持帯６を、切り込み８が上になるようにして、平面視で弓状となるように湾曲させる。写真１０を台紙２の上部２ｂの正面（又は下部２ａの正面にあてがい）にあてがい、写真１０を前向きにして、写真１０と共に台紙２の下縁を支持帯６の切り込み８に差込んで、写真１０及び台紙２を立てる。台紙２の下縁にある凹凸状の千切り跡３ａが切り込み８に引っ掛かるため、台紙２と支持帯６とが滑りにくく、台紙２が安定して立つ。
【００２２】
また、この写真立て用シート１に、写真１０を収納するには、次のようにする。
（１）図１（ｂ）及び図４（ａ）に示すように、台紙２の上部２ｂの背面に写真１０を置き、谷折り線５で谷折りして上部２ｂの角部を写真１０の角部に被せる。
【００２３】
（２）図４（ｂ）に示すように、台紙２を折り目４で曲げて、写真１０と共に台紙２の上部２ｂを下部２ａに２つ折りした後、台紙２をミシン目３で曲げて支持帯６を台紙２の上部２ｂに折り重ねる。写真１０は上部２ｂと下部２ａに挟まれて収納される。
【００２４】
以上詳述したように、実施例１は、材料及び加工のコストが低く、構造がシンプルで組立ても簡単である。
【実施例２】
【００２５】
図５に示す実施例２は、台紙２が一重である点、台紙２に写真１０の４つの角部を係入するスリット９が設けられた点、支持帯６に当初から切り込み８が設けられた点においてのみ実施例１と相違し、他は実施例１と共通である。
実施例２は、写真１０を台紙２に挟んで収納できない点を除き、実施例１と同様の効果を奏する。
【００２６】
なお、本考案は前記実施例に限定されるものではなく、考案の趣旨から逸脱しない範囲で適宜変更して具体化することができる。
【符号の説明】
【００２７】
１    写真立て用シート
２    台紙
２ａ  下部
２ｂ  上部
３    ミシン目
３ａ  千切り跡
４    折り目
５    谷折り線
６    支持帯
７    ミシン目
８    切り込み
９    スリット
１０    写真
【図１】
0003207800.tif 000003
【図２】
0003207800.tif 000004
【図３】
0003207800.tif 000005
【図４】
0003207800.tif 000006
【図５】
0003207800.tif 000007